(57)【要約】本発明はハンドリング部を備えた化粧品容器であり、開口した中空状に構成され、化粧品を保存する胴体部（１００）、及び前記胴体部（１００）の上側に分離可能に結合したハンドリング部（３００）を含み、前記ハンドリング部（３００）は、方向調節部（３２０）、方向調節部（３２０）の一側を上下に貫通するように構成された取っ手部（３１０）、前記取っ手部（３１０）の下端に形成されたタッチ部材装着部（３３０）、及び前記タッチ部材装着部（３３０）に装着されるタッチ部材（３４０）を備えることを特徴とする。【選択図】  図２
2021501675.tif 000002
【特許請求の範囲】
【請求項１】
開口した中空状に構成され、化粧品を保存する胴体部、及び前記胴体部の上側に分離可能に結合したハンドリング部を含み、
前記ハンドリング部は、方向調節部、方向調節部の一側を上下に貫通するように構成された取っ手部、前記取っ手部の下端に形成されたタッチ部材装着部、及び前記タッチ部材装着部に装着されるタッチ部材を備えることを特徴とするハンドリング部を備えた化粧品容器。
【請求項２】
前記方向調節部は軟質素材からなることにより、取っ手部が上下左右に調節可能であることを特徴とする、請求項１に記載のハンドリング部を備えた化粧品容器。
【請求項３】
前記方向調節部は、縦方向又は横方向に形成された複数のしわ部からなることを特徴とする、請求項２に記載のハンドリング部を備えた化粧品容器。
【請求項４】
前記しわ部が縦方向に形成された場合には、外側から内側に行くほどしわの頂点の高さ（Ｈ、ｈ）が減少し、前記しわ部が横方向に形成された場合には、上側から下側に行くほどしわの幅（Ｗ）が増加することを特徴とする、請求項３に記載のハンドリング部を備えた化粧品容器。
【請求項５】
前記しわ部の頂点より谷底の厚さが小さいことを特徴とする、請求項３に記載のハンドリング部を備えた化粧品容器。
【請求項６】
前記方向調節部は弾性素材からなることにより、取っ手部が上下左右に調節可能であることを特徴とする、請求項１に記載のハンドリング部を備えた化粧品容器。
【請求項７】
前記弾性素材からなる方向調節部の内側には遮断部材を備えることを特徴とする、請求項６に記載のハンドリング部を備えた化粧品容器。
【請求項８】
前記取っ手部は複数が結合可能に備えられ、長さを延ばすことができることを特徴とする、請求項１に記載のハンドリング部を備えた化粧品容器。
【請求項９】
前記タッチ部材は、スポンジ又はパフであることを特徴とする、請求項１に記載のハンドリング部を備えた化粧品容器。
【請求項１０】
前記胴体部の上端には対応形状の連結部が結合し、前記連結部が前記ハンドリング部に分離可能に結合することを特徴とする、請求項１に記載のハンドリング部を備えた化粧品容器。
【請求項１１】
前記胴体部の下端には化粧品が保存されるプレートをさらに備えることを特徴とする、請求項１に記載のハンドリング部を備えた化粧品容器。
【請求項１２】
前記プレートは区画されて異種化粧品の保存が可能であることを特徴とする、請求項１１に記載のハンドリング部を備えた化粧品容器。
【請求項１３】
前記異種化粧品は、個状化粧品、パウダー状化粧品及び液状化粧品の少なくとも１種の化粧品であることを特徴とする、請求項１２に記載のハンドリング部を備えた化粧品容器。
【請求項１４】
前記ハンドリング部の取っ手部には、方向調節部を覆うカバー部が結合することを特徴とする、請求項１に記載のハンドリング部を備えた化粧品容器。
【請求項１５】
前記胴体部の内面一側には突起部をさらに備えることを特徴とする、請求項１に記載のハンドリング部を備えた化粧品容器。
【請求項１６】
前記胴体部の一側にはエアチェックバルブを備えることを特徴とする、請求項１に記載のハンドリング部を備えた化粧品容器。
【発明の詳細な説明】
【技術分野】
【０００１】
本発明は化粧品容器に関するものであり、具体的には上下左右に調節可能な取っ手部の端部にタッチ部材が結合したハンドリング部を備えた化粧品容器に関するものである。
【背景技術】
【０００２】
一般に、コンパクトと呼ばれる携帯用化粧道具は、ケースの内部に主にパウダー（粉末）又は固状の化粧品が保存され、持ち歩きながら蓋の内周面に備えられた鏡を見ながらパフ（ｐｕｆｆ）で簡便に化粧が行える形態に構成されている。
【０００３】
このような従来のコンパクト容器は多様な物性を有する化粧品を保存することが困り、多様な色相の化粧品をより容易に組み合わせてタッチすることが困る問題点があった。さらに、使用中に化粧品が割れるか固まるため、使用者が微細な化粧を行うことができない問題点があった。
【発明の概要】
【発明が解決しようとする課題】
【０００４】
本発明によるハンドリング部を備えた化粧品容器は次のような解決課題を有する。
第一、上下左右に取っ手部がハンドリングすることができるようにする。
第二、取っ手部に装着されたタッチ部材が化粧品容器の内部に保存された化粧品を容易にタッチすることができるようにする。
第三、多様な形態の化粧品がタッチすることができるようにする。
第四、タッチ部材に使用者が望む量だけ塗布されるようにする。
第五、化粧品が元の状態を長期間維持するようにする。
本発明の解決課題は以上で言及したものに限定されず、言及しなかった他の解決課題は以下の記載から当業者に明確に理解可能であろう。
【課題を解決するための手段】
【０００５】
本発明はハンドリング部を備えた化粧品容器に関するものであり、開口した中空状に構成され、化粧品を保存する胴体部、及び前記胴体部の上側に分離可能に結合したハンドリング部を含み、前記ハンドリング部は、方向調節部、方向調節部の一側を上下に貫通するように構成された取っ手部、前記取っ手部の下端に形成されたタッチ部材装着部、及び前記タッチ部材装着部に装着されるタッチ部材を備えることを特徴とする。
本発明において、方向調節部は軟質素材からなることにより、取っ手部が上下左右に調節可能であることが好ましい。
本発明において、方向調節部は、縦方向又は横方向に形成された複数のしわ部を備えることが好ましい。
【０００６】
本発明において、しわ部が縦方向に形成された場合には、外側から内側に行くほどしわの頂点の高さＨ、ｈが減少し、しわ部が横方向に形成された場合には、上側から下側に行くほどしわの幅Ｗが増加することが好ましい。
【０００７】
本発明において、しわ部の頂点より谷底の厚さが小さいことが好ましい。
本発明において、方向調節部は弾性素材からなることにより、取っ手部が上下左右に調節可能であることが好ましい。
本発明において、弾性素材からなる方向調節部の内側には遮断部材を備えることが好ましい。
【０００８】
本発明において、取っ手部は複数が結合可能に備えられ、長さを延ばすことができることが好ましい。
本発明において、タッチ部材はスポンジ又はパフであることが好ましい。
本発明において、胴体部の上端には対応形状の連結部が結合し、前記連結部が前記ハンドリング部に分離可能に結合することが好ましい。
【０００９】
本発明において、胴体部の下端には化粧品が保存されるプレートをさらに備えることが好ましい。
本発明において、プレートは区画されて異種化粧品の保存が可能であることが好ましい。
本発明において、異種化粧品は、個状化粧品、パウダー状化粧品及び液状化粧品の少なくとも１種の化粧品であることが好ましい。
【００１０】
本発明において、ハンドリング部の取っ手部には、方向調節部を覆うカバー部が結合することが好ましい。
本発明において、胴体部の内面一側には突起部をさらに備えることが好ましい。
本発明において、胴体部の一側にはエアチェックバルブを備えることが好ましい。
【発明の効果】
【００１１】
本発明によるハンドリング部を備えた化粧品容器は次のような効果を有する。
第一、方向調節部を軟質素材からしわ状に構成することにより、取っ手部が上下左右に自由に動ける効果がある。
第二、よって、タッチ部材が保存された化粧品を容易にタッチして塗布することができる効果がある。
第三、プレートを区画し、液状、固状及び粉末状などの多様な形態の化粧品を保存することができ、またタッチ部材に塗布することができる効果がある。
第四、胴体部の突起部を用いて、タッチ部材に使用者が望む量だけ塗布することができるように調節する効果がある。
第五、化粧品容器の内部を減圧させ、化粧品の保管状態を良好に維持する効果がある。
本発明の効果は以上で言及したものに限定されず、言及しなかった他の効果は下記の記載から当業者に明らかに理解可能である。
【図面の簡単な説明】
【００１２】
【図１】本発明による化粧品容器の斜視図である。
【図２】図１の結合した化粧品容器の分解図である。
【図３】図１の結合した化粧品容器の分解図である。
【図４】方向調節部の横方向しわ部及び縦方向しわ部を示す図である。
【図５】縦方向しわ部を有する方向調節部の一実施例を示す図である。
【図６】本発明によるハンドリング部にカバーが結合していない実施例を示す図である。
【図７】本発明によるハンドリング部にカバーが結合した実施例を示す図である。
【図８】本発明による突起部及びエアチェックバルブを示す図である。
【発明を実施するための形態】
【００１３】
本発明はハンドリング部を備えた化粧品容器に関するものであり、開口した中空状に構成され、化粧品を保存する胴体部、及び前記胴体部の上側に分離可能に結合したハンドリング部を含み、前記ハンドリング部は、方向調節部、方向調節部の一側を上下に貫通するように構成された取っ手部、前記取っ手部の下端に形成されたタッチ部材装着部、及び前記タッチ部材装着部に装着されるタッチ部材を備えることを特徴とする。
発明の実施のための形態
【００１４】
以下、添付図面に基づき、本発明が属する技術分野で通常の知識を有する者が容易に実施することができるように本発明の実施例を説明する。本発明が属する技術分野で通常の知識を有する者が容易に理解することができるように、後述する実施例は本発明の概念及び範囲を逸脱しない範疇内で多様な形態に変形可能である。できるだけ、同一乃至類似の部分は図面で同じ図面符号で示す。
【００１５】
本明細書で使われる専門用語はただ特定の実施例を言及するためのものであり、本発明を限定しようとするものではない。ここで使われる単数形は文句がはっきりと反対の意味を現さない限り、複数形も含む。
【００１６】
本明細書で使われる“含む”の意味は特定の特性、領域、整数、段階、動作、要素及び／又は成分を具体化し、他の特定の特性、領域、整数、段階、動作、要素、成分及び／又は群の存在や付加を除くものではない。
【００１７】
本明細書で使われる技術用語及び科学用語を含む全ての用語は本発明が属する技術分野で通常の知識を有する者が一般的に理解する意味と同一の意味を有する。事前に定義された用語は関連技術文献と現在開示の内容に合う意味を有するものに追加として解釈され、定義しない限り、理想的な又は非常に公式的な意味に解釈されない。
以下では、図面に基づいて本発明を説明する。
図１は本発明による化粧品容器の斜視図である。図２及び図３は図１の結合した化粧品容器の分解図である。
【００１８】
本発明はハンドリング部を備えた化粧品容器に関するものである。本発明による化粧品容器は、開口した中空状に構成され、化粧品を保存する胴体部１００、及び前記胴体部１００の上側に分離可能に結合したハンドリング部３００を含み、前記ハンドリング部３００は、方向調節部３２０、方向調節部３２０の一側を上下に貫通するように構成された取っ手部３１０、前記取っ手部３１０の下端に形成されたタッチ部材装着部３３０、及び前記タッチ部材装着部３３０に装着されるタッチ部材３４０を備えることを特徴とする。
【００１９】
本発明による胴体部１００は開口した中空状のものであり、図２及び図３のように、胴体部の上部が開口することが一般的であり、下部が胴体部から分離されて開口する形状も可能である。
【００２０】
本発明によるハンドリング部３００は胴体部１００の上側に分離可能に結合され、取っ手部３１０、方向調節部３２０、タッチ部材装着部３３０及びタッチ部材３４０を含む。
【００２１】
本発明による取っ手部３１０は方向調節部３２０の一側を上下に貫通するように構成されることが好ましく、一般的に方向調節部３２０の中心を貫通するようになる。
【００２２】
本発明による取っ手部３１０は、使用者が容易に把持することができるように、図１のように、上端が球状に構成されることが可能である。また、取っ手部３１０の長さを調節するために、複数が結合可能に備えられ、長さが延長できるように構成されることも可能である。
【００２３】
本発明による方向調節部３２０は軟質素材からなることにより、取っ手部が上下左右に調節可能であることが好ましい。この実施例は軟質素材の特性を活用して上下左右に操作することが可能なものに相当する。
【００２４】
本発明において、方向調節部３２０は、縦方向（図４ａ参照）又は横方向（図４ｂ参照）に形成された複数のしわ部３２１からなることが好ましい。複数のしわ部は上下左右への容易な動きを具現することができる。しわ部３２１は一種のスプリングのような弾性体の役割を果たし、上下左右に動いた後、再び最初の位置に復帰するはずである。
【００２５】
本発明によるしわ部３２１が縦方向に形成された場合には、内側から外側に行くほどしわの頂点までの高さＨ、ｈが減少することが好ましい（図４ａ参照）。しわの頂点と頂点との間の長さを高さＨに設定する実施例も可能であり、一定の基準谷底から上側頂点までの長さを高さｈに設定する実施例も可能であろう。
本発明によるしわ部３２１が横方向に形成された場合には、上側から下側に行くほどしわの幅Ｗが増加することが好ましい（図４ｂ参照）。
図５ａ〜図５ｃは縦方向しわ部を有する方向調節部３２０の一実施例を示す図である。
【００２６】
本発明において、しわ部３２１の頂点３２１ａより谷底３２１ｂの厚さが小さいことが好ましい。しわ部３２１の谷底の厚さが頂点の厚さより小さければ、しわ部による上下左右への操作がもっと容易になるであろう。
本発明による方向調節部は弾性素材からなることも可能である。弾性素材からなる方向調節部（図示せず）も取っ手部が上下左右に動けるようにするであろう。
【００２７】
一実施例で、スプリング（ｓｐｒｉｎｇ）などのように、下広上狭（下側が広くて上側が狭い）状又はテーパー（ｔａｐｅｒ）状の弾性コイル（ｃｏｉｌ）からなることも可能である。
【００２８】
本発明による弾性素材からなる方向調節部の内側には遮断部材（図示せず）を備えることが好ましい。遮断部材は化粧品の漏出を防止することができるプラスチック（ｐｌａｓｔｉｃ）又はビニル（ｖｉｎｙｌ）などから構成されることが可能であり、方向調節部の上下左右への調節を妨げないように構成されることができるであろう。
本発明によるタッチ部材３４０はスポンジ又はパフであることが好ましい。
【００２９】
本発明において、胴体部１００の上端には対応形状の連結部２００が結合し、前記連結部２００が前記ハンドリング部３００と分離可能に結合する実施例が可能である。
【００３０】
ハンドリング部３００は、ハンドリング部の下端に装着されたタッチ部材３４０に胴体部１００に保存された化粧品を塗布した後、タッチ部材３４０を胴体部１００から分離して使用者の皮膚にタッチする用途に使われる。よって、ハンドリング部３００は胴体部１００から分離できなければならない。
【００３１】
胴体部１００の上端にハンドリング部３００が結合する実施例も可能である。この実施例の場合、ハンドリング部３００が胴体部１００と分離可能な方式で結合するので、結合力が低くなることもある。この場合、別途の連結部２００を備え、胴体部１００と連結部２００を堅く結合させた後、ハンドリング部３００を連結部２００に分離可能に結合させることが好ましい。
本発明において、胴体部１００の下端には化粧品を保存するプレート４００をさらに備えることが好ましい。
【００３２】
プレート４００を備えていない実施例では、胴体部１００の下部に化粧品を保存する実施例が可能である。しかし、プレート４００を備えれば、必要時にプレート４００のみ交替すれば、全く違う色相又は物性の化粧品を保存する化粧品容器になることができ、化粧品をすっかり使用した後にもプレート４００を交替することによってずっと使うことができる利点がある。
【００３３】
一方、化粧品を保存する胴体部１００の下部又はプレート４００において、タッチ部材３４０が触れない部分が底の角などで発生し得る。この部分に保存された化粧品は使うことができない可能性が高いので、このような部分が発生しないように該当部分をラウンド（屈曲）状に突出させることなど、容器の形状を形成することがより好ましい。
本発明において、プレート４００は区画されて異種化粧品を保存することができる実施例が好ましい。
【００３４】
プレートに保存される異種化粧品は、個状（固状）化粧品、パウダー状化粧品及び液状（液体状態）化粧品の少なくとも１種の化粧品であることが好ましい。個状化粧品及びパウダー状化粧品の場合、プレート４００に保存し易い物性及び形態であるが、液状化粧品の場合、プレート４００から流れ出ることもある。よって、本発明に適用される液状化粧品は、液状化粧品が流れ出ないように、液状表面にクッション又はネットなどが形成された形態であることがより好ましい。
【００３５】
また、異種化粧品は物性によって区分することも、色相によって区分することも可能であろう。例えば、タッチ部材３４０でＡ色相化粧品が保存された所をタッチした後、Ｂ色相化粧品が保存された所をタッチするか、又はＡ色相化粧品が保存された所をタッチした後、Ｃ色相化粧品が保存された所をタッチすることにより、使用者が望む色相の組合せを試みることができるであろう。
【００３６】
本発明において、ハンドリング部３００の取っ手部３１０には、方向調節部３２０を覆うカバー部５００が結合することが好ましい。図６ａ及び図６ｂは本発明によるハンドリング部にカバー部が結合していない実施例を示す図であり、図７ａ及び図７ｂは本発明によるハンドリング部３００にカバー部５００が結合した実施例を示す図である。
【００３７】
図７に示すように、カバー部５００は取っ手部３１０に一体に結合し、取っ手部３１０を胴体部１００から取り出すときに一緒に取り出される。カバー部５００は透明、半透明及び不透明などの多様な透明度に形成されることが好ましい。
【００３８】
本発明において、図８に示すように、胴体部１００の内面一側には突起部１１０をさらに備えることが好ましい。タッチ部材３４０に余りにも多い化粧品が付いた場合又は微小なパウダーではない固まったパウダーが付いた場合などにおいて、使用者は胴体部１００の内部でタッチ部材３４０を突起部１１０に移し、タッチ部材３４０で突起部１１０をとんとん打つか、タッチ部材３４０を突起部１１０に擦るなどの方式で所望の量に調節した後、胴体部１００からタッチ部材３４０を引き出すことができる。
【００３９】
本発明において、胴体部１００の一側にはエアチェックバルブ６００を備えることが好ましい。エアチェックバルブ６００は胴体部１１０の内部圧力を減圧させる機能を果たす。使用者が化粧を終えた後、ハンドリング部３００を胴体部１００又は連結部２００に結合させることになる。その後、ハンドリング部３００のタッチ部材３４０が保存化粧品に接触しないようにしたままで取っ手部３１０を上下にポンピングすれば、胴体部１００の内部空気がエアチェックバルブ６００を通して外部に排出されることにより、胴体部１００の圧力が減圧される。
【００４０】
個状化粧品又はパウダー状化粧品の場合、混入したオイルが蒸発すれば、化粧品が割れるか壊れる現象が発生し、タッチ部材３４０に微細な化粧品が付きにくい問題点が発生することがある。また、液状化粧品の場合にも、混入した液状物質が蒸発すれば、液状化粧品の品質が低下する問題点が発生することがある。この場合、化粧品が保存された胴体部１００の圧力を減圧させて化粧品に混入したオイルなどの蒸発を防止することにより、前述した問題点を解決し、化粧品の品質をできるだけ元の状態に維持することができる。
【００４１】
本明細書で説明する実施例及び添付図面は本発明に含まれる技術的思想の一部を例示的に説明するものに過ぎない。よって、本明細書に開示された実施例は本発明の技術的思想を限定するためのものではなくて説明するためのものであるので、このような実施例によって本発明の技術思想の範囲が限定されるものではないことは明らかである。本発明の明細書及び図面に含まれる技術的思想の範囲内で当業者が容易に類推することができる変形例と具体的な実施例のいずれも本発明の権利範囲に含まれるものに解釈されなければならないであろう。
【図１】
2021501675.tif 000003
【図２】
2021501675.tif 000004
【図３】
2021501675.tif 000005
【図４】
2021501675.tif 000006
【図５】
2021501675.tif 000007
【図６】
2021501675.tif 000008
【図７】
2021501675.tif 000009
【図８】
2021501675.tif 000010
【国際調査報告】
2021501675.tif 000011
2021501675.tif 000012
2021501675.tif 000013
2021501675.tif 000014